(57)【要約】【課題】梱包機能を損なうことなく、収容物品を人目に付きやすい状態にして簡易に展示することを可能にする包装箱を提供する。【解決手段】一枚の板紙１１を六面体形状となるように折り曲げてなる包装箱１０であって、六面体形状の底面に折り重ねて配置されるフラップ片１３の少なくとも一枚に平行に延設する複数の折癖線１４が設けられており、この折癖線１４を介して立体形状に折り曲げたフラップ片１３ａによって底面１２の内側に載置台１５を形成し、この載置台に下端部１５を支持させることにより、収容物品１６を底面１２から一段高く保持した状態で展示する。また複数の折癖線１４が設けられたフラップ片１３ａは、六面体形状の底面１２の内側に折り重ねて配置されたフラップ片であり、後方側面板１８ａに接合されたままの状態で立体形状に折り曲げられて、底面１２の内側に載置台１５を形成する。【選択図】      図２
2004210337.tif 000002
【特許請求の範囲】
【請求項１】
一枚の板紙を六面体形状となるように折り曲げてなる包装箱であって、
前記六面体形状の天面又は底面に折り重ねて配置されるフラップ片の少なくとも一枚には複数の折癖線が平行に設けられ、該折癖線を介して折り曲げたフラップ片によって底面内側に載置台を形成し、該載置台に収容物品の下端部を支持させることにより、収容物品を底面から高く保持した状態で展示することを可能にする包装箱。
【請求項２】
前記折癖線が設けられたフラップ片は、前記六面体形状の底面内側に折り重ねて配置され、側面板に接合されたままの状態で折り曲げられて、前記底面内側に載置台を形成する請求項１記載の包装箱。
【請求項３】
前記折癖線が設けられたフラップ片は、前記六面体形状の天面に折り重ねて配置されると共に、該フラップ片には切取り案内線が設けられており、該フラップ片を切り離し折り曲げて前記底面内側に設置することにより、前記載置台を形成する請求項１記載の包装箱。
【請求項４】
前記折癖線が設けられたフラップ片は、係止用切込に差込まれて形状を保持する差込片を備える請求項１〜３のいずれかに記載の包装箱。
【請求項５】
板紙を六面体形状となるように折り曲げてなる包装箱の天面又は底面に折り重ねて配置されるフラップ片の少なくとも一枚を、複数の折癖線を介して折り曲げ、該折り曲げたフラップ片によって包装箱の底面内側に載置台を形成し、該載置台に収容物品の下端部を支持させることにより、収容物品を底面から高く保持した状態で展示する包装箱による収容物品の展示方法。
【発明の詳細な説明】
【０００１】
【発明の属する技術分野】
本発明は、一枚の板紙を六面体形状となるように折り曲げてなる包装箱、及び六面体形状の包装箱による収容物品の展示方法に関する。
【０００２】
【従来の技術】
ダンボールや厚紙等からなる板紙を六面体形状となるように折り曲げて形成される包装箱は、例えば商品化された家庭用の物品やその他の各種の物品を、複数一まとめに覆って梱包するために用いられ、運搬や保管を効率良く行うことを可能にするものである。このような包装箱は、六面体形状を形成し得る所望の展開形状に裁断した板紙を、例えば予め設けられた折癖線を介して折り曲げつつ、係止片を係止用切込みに係止したり、接着剤や止め金具等を介して折り曲げた板紙の各片を接合しつつ、六面体形状に組み立てられる。
【０００３】
一方、このような六面体形状の包装箱に収容される複数の物品は、当該包装箱から取り出されるまで、これらの全体が包装箱によって覆われた状態となっており、開閉蓋を開放したとしても、包装箱の外側には、取出口を介して収容物品の僅かな部分しか現れないため、当該包装箱を用いて収容された物品を人目に付きやすい状態にして展示することは困難だった。このため、収容物品を展示する際には、当該収容物品を包装箱から取り出して別途に設けた展示台に載置する方法や、包装箱の側面の一部又は全部を切断除去して、当該切断除去した部分から収容物品を露出させる方法等が採用されているが、前者は包装箱とは別の専用の展示台を要することになるため効率的ではなく、また後者は包装箱として再び収容物品を梱包することができなくなるため包装箱の無駄が生じることになる。
【０００４】
これに対して、包装箱を展示台としても用いることを可能にした展示機能を有する箱が種々開発されている（例えば、特許文献１参照）。このような展示機能を有する箱は、箱本体、蓋体、中蓋等の複数の箱部材によって構成されており、運搬時や保管時において物品収容箱として用いられている六面体形状の状態から、これらの箱部材の被せ合わせる方向を替えること等によって、展示台として機能させるようにしたものである。
【０００５】
【特許文献１】
特開２００１−５５２２４号公報
【０００６】
【発明が解決しようとする課題】
しかしながら、上記従来の展示機能を有する箱は、各箱に収容された収容物品を各々展示することを前提として用いる展示兼用の包装箱であって、複数の箱部材からなる複雑且つ高価なものである。したがって、このような従来の展示機能を有する箱によれば、例えば贈答用の物品を収容する箱として販売場に積み重ねて多数置かれた包装箱から、１個又は数個の包装箱を選択して展示用に用い、必要に応じてこれらの展示用に用いた包装箱を再び梱包用に用いる場合等、収容物品を簡易に展示するために用いる場合には、不経済になると共に、材料の無駄を生じることになる。
【０００７】
本発明は、梱包機能を損なうことなく、収容物品を人目に付きやすい状態にして簡易に展示することを可能にする包装箱及び収容物品の展示方法を提供することを目的とする。
【０００８】
【課題を解決するための手段】
本発明は、一枚の板紙を六面体形状となるように折り曲げてなる包装箱であって、前記六面体形状の天面又は底面に折り重ねて配置されるフラップ片の少なくとも一枚には複数の折癖線が平行に設けられ、該折癖線を介して折り曲げたフラップ片によって底面内側に載置台を形成し、該載置台に収容物品の下端部を支持させることにより、収容物品を底面から高く保持した状態で展示することを可能にする包装箱を提供することにより、上記目的を達成したものである。
【０００９】
ここで、フラップ片は、六面体形状の側周面を構成する矩形形状の４方の側面板の一部又は全部に折癖線を介して翼状に接合されて、側面板の上辺又は下辺から折れ曲がり可能に延設する板紙片である。フラップ片は、４方の側面板によって形成される筒状の側周面の上端開口や下端開口を覆うようにしてこれらの開口の内方に折り重ねられ、接着剤や止め金具等を介して接合されることにより、上端開口を閉塞する天面や下端開口を閉塞する底面を構成する板紙部分である。また折癖線は、例えば罫線、半切れ線、ミシン目、押潰し線等を施しておくことにより、当該折癖線に沿って容易に折れ曲り可能とする線状部分である。
【００１０】
また、本発明は、板紙を六面体形状となるように折り曲げてなる包装箱の天面又は底面に折り重ねて配置されるフラップ片の少なくとも一枚を、複数の折癖線を介して折り曲げ、該折り曲げたフラップ片によって包装箱の底面内側に載置台を形成し、該載置台に収容物品の下端部を支持させることにより、収容物品を底面から高く保持した状態で展示する包装箱による収容物品の展示方法を提供することにより、上記目的を達成したものである。
【００１１】
【発明の実施の形態】
図１〜図３に示す本発明の好ましい第１実施形態に係る包装箱１０は、例えば贈答用の物品として洗剤や食品等を封入したボトル容器１６を複数収容する六面体形状の箱であって、販売場に積み重ねた状態で多数設置されると共に、これらの多数の包装箱１０から任意の１個又は数個の包装箱１０を選択し、収容物品であるボトル容器１６を人目に付きやすい状態にして簡易に展示できるようにするものである。すなわち、本第１実施形態の包装箱１０は、ボトル容器１６を複数（本第１実施形態では４本）一まとめに覆って梱包収容すると共に、運搬や保管を効率良く行うことができるように六面体形状を有しており、この六面体形状の底面に配置されるフラップ片に単に折癖線を設けるだけの簡単な構成によって、梱包機能を損なうことなく、必要に応じて収容物品を展示できる簡易な展示箱としても用いることができるようにするものである。
【００１２】
そして、本第１実施形態の包装箱１０は、一枚の板紙１１（図３参照）を六面体形状となるように折り曲げてなる包装箱であって、六面体形状の底面１２に折り重ねて配置される復数のフラップ片１３のうちの一枚のフラップ片である折曲フラップ片１３ａに、平行に延設する複数の折癖線１４が設けられており、これらの折癖線１４を介して立体形状に折り曲げた折曲フラップ片１３ａによって底面１２内側に載置台１５を形成し（図２（ａ），（ｂ）参照）、この載置台１５に下端部を支持させることにより、収容物品であるボトル容器１６を包装箱１０の底面１２から一段高く保持した状態で展示することを可能にするものである。
【００１３】
また、本第１実施形態の包装箱１０によれば、複数の折癖線１４が設けられた折曲フラップ片１３ａは、六面体形状の底面１２において、最も内側（上側）に折り重ねて配置されたフラップ片１３であり、六面体形状の側周面１７の背面部分に配置される板紙である後方側面板１８ａに接合されたままの状態で立体形状に折り曲げられて、底面１２の内側に載置台１５を形成するようになっている。
【００１４】
包装箱１０を構成する一枚の板紙１１は、例えばダンボールや厚紙等の相当の厚さ及び曲げ強度を有する紙部材からなり、例えば図３に示すような、六面体形状を形成し得る展開形状に裁断される。また裁断された板紙１１は、主として、六面体形状の４方の側周面１７を形成する矩形形状の４枚の側面板１８を、第１折癖線１１ａで区画しつつ連接配置すると共に、各側面板１８の上辺及び下辺に第２折癖線１１ｂを介してフラップ片１３を連接配置し、且つ隣接するフラップ片１３を切込線１１ｃを介して互いに分離させた形状を有している。そして、折癖線１１ａ，１１ｂを介して板紙１１を折り曲げつつ、接着剤や止め金具等を介して折り曲げた各片を接合して、六面体形状の包装箱１０が組み立てられることになる。
【００１５】
なお、ボトル容器１６の展示状態を示す図１では、包装箱１０は、その天面が開放された状態となっているが、このような展示状態においては、例えば各側面板１８の上辺に連接配置されたフラップ片１３を第２折癖線１１ｂを介して包装箱１０の内側に折り畳んでおくことにより、天面を容易に開放させた状態としておくことが可能になる。また、内側に折り畳んだフラップ片１３は、包装箱１０の外側に折り拡げることにより、当該包装箱１０を、４体のボトル容器１６の全体を覆う梱包用の箱として再度使用することが可能になる。
【００１６】
そして、本第１実施形態によれば、六面体形状の包装箱１０の底面１２に折り込まれて当該底面１２の最も内側に配置される折曲フラップ片１３ａには、第２折癖線１１ｂと平行に延設する２本の折癖線１４が、折曲フラップ片１３ａの全幅に亘って形成されている。各折癖線１４は、例えば罫線や半切れ線等からなり、当該２本の折癖線１４に沿って各々略垂直に折曲フラップ片１３ａを折り曲げることにより、この折曲フラップ片１３ａによって、底面１２の内側には、包装箱１０の背面側に配置された四角形断面の立体形状の載置台１５が設けられることになる（図２（ａ），（ｂ）参照）。
【００１７】
また、本第１実施形態によれば、折曲フラップ片１３ａの先端縁部には、幅方向中央部分に配置されて、差込片１９が突出して設けられており、この差込片１９を、例えば４方の側面板１８のうちの背面側に配置される後方側面板１８ａに切込み形成された係止用切込（図示せず）に差込んで、載置台１５を四角形断面の立体形状に安定して保持することができるようになっている。
【００１８】
なお、本第１実施形態によれば、折曲フラップ片１３ａの第２折癖線１１ｂから延設される長さや、折曲フラップ片１３ａに形成される折癖線１４の間隔等を調整することにより、包装箱１０の内側への載置台１５の突出量や、載置台１５の高さを適宜調整することが可能になる。
【００１９】
そして、本第１実施形態によれば、ボトル容器１６を複数収容して販売場に積み重ねた状態で設置された多数の包装箱１０から、任意の１個又は数個の包装箱１０を展示用のものとして選択し、包装箱１０の天面を開放して収容されたボトル容器１６を取り出した後、包装箱１０の底面１２において、背面側に配置された後方側面板１８ａの下辺から延設すると共に、最も上側に折り重ねられた折曲フラップ片１３ａを、２本の折癖線１４に沿って上方及び外方に各々略垂直に折り曲げ、差込片１９を側面板１８に切込み形成された係止用切込に差込むことにより、載置台１５を包装箱１０の内部に形成する（図２（ａ），（ｂ）参照）。しかる後に、包装箱１０から取り出したボトル容器１６を再び収容する際に、形成された載置台１５に下端部を支持させて後列のボトル容器１６を包装箱１０の背面側に挿入配置することにより、当該後列のボトル容器１６を包装箱１０の底面１２から一段高く保持し、その上部を人目に付きやすい状態として、収容物品であるボトル容器１６を簡易に展示することが可能になる（図１参照）。
【００２０】
また、本第１実施形態によれば、展示を止めて包装箱１０の内部にボトル容器１６を再び収容して梱包する場合には、包装箱１０からボトル容器１６を取り出し、後方側面板１８ａの係止用切込に差込んだ差込片１９を引き抜いて、立体形状に折り曲げられた状態を平胆となるように戻しつつ、折曲フラップ片１３ａを包装箱１０の底面１２に沿って配置すると共に、内側に折り畳んだ天面のフラップ片１３を包装箱１０の外側に折り拡げる。しかる後に、取り出したボトル容器１６を内部に収容すると共に、フラップ片１３を折り重ねて天面を閉塞することにより、４本のボトル容器１６を一体として覆って再度梱包することが可能になる。
【００２１】
すなわち、本第１実施形態の包装箱１０によれば、梱包機能を損なうことなく、収容物品であるボトル容器１６を人目に付きやすい状態にして簡易且つ容易に展示することが可能になる。
【００２２】
図４〜図６は、本発明の好ましい第２実施形態に係る包装箱２０を示すものであり、本第２実施形態の包装箱２０は、前後方向に３列、合計６本のボトル容器１６を収容する包装箱として用いられる。
【００２３】
本第２実施形態によれば、六面体形状の包装箱２０の底面２２に折り重ねて配置される復数のフラップ片２３のうち、側周面２７の両側の側面部分に配置される板紙である一対の側方側面板２８ａの下辺に接続する２枚の折曲フラップ片２３ａには、図６に示すように、各々平行に延設する複数の折癖線２４ａ，２４ｂが設けられている。またこれらの折曲フラップ片２３ａには、当該折曲フラップ片２３ａを幅方向に分割可能に切り離すことのできる、例えば半切れ線、ミシン目等からなるフラップ破断線２１ｄが、折癖線２４ａ，２４ｂと垂直に延設して設けられている。
【００２４】
各折曲フラップ片２３ａは、六面体形状の底面２２において、最も内側（上側）に折り重ねて配置されており、破断線２１ｄを介して破断して折曲フラップ片２３ａを分割することにより得られた第１分割片２６ａを、当該第１分割片２６ａに幅の広い間隔で設けられた２本の折癖線２４ａを介して３角形の断面形状を有する立体形状に折り曲げて、図５（ａ），（ｂ）に示すように、底面２２の内側において背面側に配置される高さの高い上段載置台２５ａが、側方側面板２８ａに沿って設けられる。また同様に破断線２１ｄを介して破断して折曲フラップ片２３ａを分割することにより得られた第２分割片２６ｂを、当該第２分割片２６ｂに幅の狭い間隔で設けられた４本の折癖線２４ｂを介して４角形の断面形状を有する立体形状に折り曲げて、底面２２の内側における中央部分に配置される高さの高い下段載置台２５ｂが、側方側面板２８ａに沿って設けられる。
【００２５】
そして、本第２実施形態の包装箱２０によれば、図４に示すように、後列の２本のボトル容器１６を上段載置台２５ａに支持させて配置すると共に、中央列の２本のボトル容器１６を下段載置台２５ｂに支持させて配置することができ、背面側の２列のボトル容器１６を底面から階段状に高く保持して展示することにより、展示効果を一層向上させることが可能になると共に、上記第１実施形態と同様の作用効果を奏することになる。
【００２６】
図７，図８は、本発明の好ましい第３実施形態に係る包装箱３０を示すものである。本第３実施形態の包装箱３０によれば、複数の折癖線３４が設けられて立体形状に折り曲げられる折曲フラップ片３３ａは、六面体形状の包装箱３０の天面に折り重ねて配置されたフラップ片であると共に、この折曲フラップ片３３ａには切取り案内線３６が設けられており、折曲フラップ片３３ａを切取り案内線３６を介して切り離し、立体形状に折り曲げて底面３２の内側に設置することにより、載置台３５を形成するようになっている。
【００２７】
すなわち、本第３実施形態によれば、六面体形状の包装箱３０の天面に折り重ねて配置される復数のフラップ片３３のうちの一枚である折曲フラップ片３３ａには、図８に示すように、平行に延設する複数の折癖線３４が設けられている。また折曲フラップ片３３ａの側面板３８と接続する基端部分には、当該折曲フラップ片３３ａを側面板３８から容易に切り離すことを可能にする、例えば半切れ線、ミシン目等からなる切取り案内線３６が設けられている。さらに、係止用切込に差込まれる差込片を適宜設けておくこともできる。
【００２８】
そして、本第３実施形態の包装箱３０によれば、図７に示すように、フラップ片３３ａを切り離して例えば４角形断面の立体形状に折り曲げ、底面３２の内側における背面側に設置して載置台３５を形成した後、形成された載置台３５に下端部を支持させて後列のボトル容器１６を包装箱３０の背面側に挿入配置することにより、当該後列のボトル容器１６を包装箱３０の底面３２から一段高く保持して、上記第１実施形態と同様の作用効果を奏することになる。なお、本第３実施形態によれば、折曲フラップ片３３ａとして、天面に折り重ねて配置されるフラップ片３３のうち、不要のフラップ片を用いることにより、ボトル容器１６を覆って再度梱包する際に、これらの全周を覆って容易に梱包することが可能になる。また、折曲フラップ片３３ａを切り取ったことによって包装箱３０の天面を完全に覆うことが出来なくなった場合でも、その側周面３７及び底面３２による安定した六面体形状は残ることになるので、包装箱３０による梱包機能を容易に保持することが可能になる。
【００２９】
図９，図１０は、本発明の好ましい第４実施形態に係る包装箱４０を示すものである。本第４実施形態の包装箱４０によれば、六面体形状の包装箱４０の天面に折り重ねて配置される各フラップ片４３には、各々複数の折癖線４４が設けられて、立体形状に折り曲げられる折曲フラップ片４３ａとなっている。またこれらの折曲フラップ片４３ａは、その基端部分に設けられた切取り案内線４６を介して、各々側面板４８から容易に切り離し可能となっている。
【００３０】
本第４実施形態によれば、折癖線４４が設けられた複数の折曲フラップ片４３ａのうち、１又は２以上の折曲フラップ片４３ａを選択して立体形状に折り曲げ、１段又は２段以上に重ねて配置することにより、載置台４５の高さを調整することが可能になる。また、図１１に示すように、高さの異なる載置台４５を底面４２の内側に並べて設置して、ボトル容器１６を底面から階段状に高く保持して展示することもできる。
【００３１】
なお、本発明は上記各実施形態に限定されることなく種々の変更が可能である。例えば、包装箱に収容される収容物品は、洗剤や食品等を封入したボトル容器である必要は必ずしもなく、その他の形状の容器や、容器以外の物品であっても良い。また包装箱に収容される収容物品は、４体又は６体である必要は必ずしもなく、収容される個数は任意である。
【００３２】
さらに、本発明の包装箱による収容物品の展示方法によれば、包装箱のフラップ片に折癖線や切取り案内線を予め設けておく必要は必ずしもなく、例えば販売場において、カッター等を用いて包装箱のフラップ片に折癖線や切取り案内線をを形成し、当該フラップ片によって底面内側に載置台を設けることができるようにすることもできる。
【００３３】
【発明の効果】
本発明の包装箱及び収容物品の展示方法によれば、包装箱による梱包機能を損なうことなく、収容物品を人目に付きやすい状態にして簡易に展示することができる。
【図面の簡単な説明】
【図１】本発明の第１実施形態に係る包装箱による展示状態を説明する斜視図である。
【図２】本発明の第１実施形態に係る包装箱による展示状態を説明する、（ａ）は断面図、（ｂ）は上面図である。
【図３】本発明の第１実施形態に係る包装箱を構成する板紙の展開平面図である。
【図４】本発明の第２実施形態に係る包装箱による展示状態を説明する、（ａ）は斜視図、（ｂ）は正面の側面板を削除して示す正面図である。
【図５】本発明の第２実施形態に係る包装箱による展示状態を説明する、（ａ）は断面図、（ｂ）は上面図である。
【図６】本発明の第２実施形態に係る包装箱を構成する板紙の展開平面図である。
【図７】本発明の第３実施形態に係る包装箱による展示状態を説明する断面図である。
【図８】本発明の第３実施形態に係る包装箱を構成する板紙の展開平面図である。
【図９】本発明の第４実施形態に係る包装箱による展示状態を説明する断面図である。
【図１０】本発明の第４実施形態に係る包装箱を構成する板紙の展開平面図である。
【図１１】本発明の第４実施形態に係る包装箱による他の展示状態を説明する断面図である。
【符号の説明】
１０，２０，３０，４０  包装箱
１１，２１，３１，４１  板紙
１２，２２，３２，４２  底面
１３，２３，３３，４３  フラップ片
１３ａ，２３ａ，３３ａ，４３ａ  折曲フラップ片
１４，２４ａ，２４ｂ，３４，４４  折癖線
１５，２５ａ，２５ｂ，３５  載置台
１６  ボトル容器
１７，２７，３７  側周面
１８，２８，３８，４８  側面板
１８ａ  後方側面板
１９  差込片
２１ｄ  フラップ破断線
２６ａ  第１分割片
２６ｂ  第２分割片
２８ａ  側方側面板
３６，４６  切取り案内線
【図１】
2004210337.tif 000003
【図２】
2004210337.tif 000004
【図３】
2004210337.tif 000005
【図４】
2004210337.tif 000006
【図５】
2004210337.tif 000007
【図６】
2004210337.tif 000008
【図７】
2004210337.tif 000009
【図８】
2004210337.tif 000010
【図９】
2004210337.tif 000011
【図１０】
2004210337.tif 000012
【図１１】
2004210337.tif 000013